(57)【要約】【課題】ユーザが所望する外部入力端子への切換操作を容易に実行できる表示装置を提供することである。【解決手段】表示装置１において、表示画面７０ａに表示されるカーソルを、初期位置から上下左右方向に移動させる十字キー１００ａを有し、表示プログラム１３０ａの実行により、表示画面７０ａ上の十字キー１００ａのカーソルの初期位置を交点とする少なくとも二直線上に、外部入力端子部１０ａに含まれる外部入力端子が各々配置され、切換プログラム１３０ｂの実行により、十字キー１００ａの操作で上記配置された外部入力端子から選択された一の外部入力端子に画像データの入力を切換え、画像表示プログラム１３０ｃの実行により当該画像データに基づく画像を表示画面７０ａ上に表示する。【選択図】図１
2010176349.tif 000002
【特許請求の範囲】
【請求項１】
画像データを出力する外部出力機器と接続可能な外部入力端子を複数備えた表示装置において、
表示画面上にそれぞれの外部入力端子を表示する表示手段と、
上下左右方向にカーソルを移動させる方向キーを含み、前記方向キーを操作して前記カーソルを初期位置から前記表示手段により表示された一の外部入力端子の配置された位置に移動させ、当該一の外部入力端子を選択するための選択操作部と、
前記選択操作部により選択された外部入力端子に画像データの入力を切換える切換手段と、
前記切換手段により切換えられた外部入力端子に接続される外部出力機器より画像データが入力されると、前記画像データに基づく画像を表示画面上に表示する画像表示手段と、
を備え、
前記表示手段は、表示画面上の前記カーソルの初期位置を交点とする少なくとも二直線上に、外部入力端子を各々配置することを特徴とする表示装置。
【請求項２】
請求項１に記載の表示装置において、
前記表示手段は、各外部入力端子の名称を該当する外部入力端子と対応付けて表示し、
前記表示手段により表示画面上に表示される外部入力端子の名称を変更する変更手段を備えることを特徴とする表示装置。
【請求項３】
請求項１又は２に記載の表示装置において、
各外部入力端子に外部出力機器が接続されたか否かを検知する検知手段を備え、
前記表示手段は、前記検知手段により前記外部出力機器の接続が検知された外部入力端子に対応する表示画面上に表示される外部入力端子の表示態様と、前記検知手段により前記外部出力機器の接続が検知されなかった外部入力端子に対応する表示画面上に表示される外部入力端子の表示態様と、を異ならせることを特徴とする表示装置。
【請求項４】
請求項１〜３の何れか一項に記載の表示装置において、
前記切換手段により切換えられた回数を外部入力端子ごとに計数して記憶する計数記憶手段を備え、
前記表示手段は、表示画面上に表示される外部入力端子を、前記計数手段により計数された回数が多い順に、前記カーソルの初期位置の近傍から遠方へと配置することを特徴とする表示装置。
【請求項５】
画像データを出力する外部出力機器と接続可能な外部入力端子を複数備えた表示装置において、
表示画面上にそれぞれの外部入力端子を表示する表示手段と、
上下左右方向にカーソルを移動させる方向キーを含み、前記方向キーを操作して前記カーソルを初期位置から前記表示手段により表示された一の外部入力端子の配置された位置に移動させ、当該一の外部入力端子を選択するための選択操作部と、
前記選択操作部により選択された外部入力端子に画像データの入力を切換える切換手段と、
前記切換手段により切換えられた外部入力端子に接続される外部出力機器より画像データが入力されると、前記画像データに基づく画像を表示画面上に表示する画像表示手段と、
各外部入力端子に外部出力機器が接続されたか否かを検知する検知手段と、
前記切換手段により切換えられた回数を外部入力端子ごとに計数して記憶する計数記憶手段と、
を備え、
前記表示手段は、表示画面上の前記カーソルの初期位置を交点とする少なくとも二直線上に、外部入力端子を、前記計数手段により計数された回数が多い順に、前記カーソルの初期位置の近傍から遠方へと各々配置し、前記検知手段により前記外部出力機器の接続が検知された外部入力端子に対応する表示画面上に表示される外部入力端子の表示態様と、前記検知手段により前記外部出力機器の接続が検知されなかった外部入力端子に対応する表示画面上に表示される外部入力端子の表示態様と、を異ならせることを特徴とする表示装置。
【発明の詳細な説明】
【技術分野】
【０００１】
本発明は、表示装置に関する。
【背景技術】
【０００２】
液晶テレビやプラズマテレビ等の表示装置は、外部入力端子を介してビデオデッキやＤＶＤプレーヤ等の多様な外部出力機器と接続され、上記外部出力機器より出力される映像データや静止画像データ等の画像データを入力し表示可能なように構成されている。
そして、ユーザは、表示装置の本体部や備え付けのリモコン装置に設けられる入力切換用のボタンやキーを介して、上記外部入力端子を切換えることが出来る。
【０００３】
このような表示装置の一例として、複数の外部機器が接続可能な複数の外部入力端子を有し、複数の外部入力端子に対応した端子情報や、プラグ接続の有無及び信号の入力の有無、を検出手段により検出し、当該検出手段の検出結果を入力選択メニュー画面として映像出力手段によって表示し、カーソルボタンの操作により任意の外部入力端子に切換可能なものが知られている（例えば、特許文献１参照）。
【先行技術文献】
【特許文献】
【０００４】
【特許文献１】特開２００８−６７２８４号公報
【発明の概要】
【発明が解決しようとする課題】
【０００５】
しかしながら、上記特許文献１に記載の発明において、入力選択メニュー画面上に複数の外部入力端子が一列に表示されているので、ユーザは、上下方向のカーソルボタンを複数回操作して、所望の外部入力端子に切換える必要がある。そのため、近年のように表示装置に対して接続可能な外部出力機器が多様化し、一台の表示装置に対してより多くの外部出力機器が接続され得るような状況においては、上記カーソルボタンの操作が煩雑化し、ユーザに不便さや煩わしさを感じさせることが問題であった。
【０００６】
本発明の課題は、ユーザが所望する外部入力端子への切換操作を容易に実行できる表示装置を提供することである。
【課題を解決するための手段】
【０００７】
上記課題を解決するため、請求項１に記載の発明は、画像データを出力する外部出力機器と接続可能な外部入力端子を複数備えた表示装置において、表示画面上にそれぞれの外部入力端子を表示する表示手段と、上下左右方向にカーソルを移動させる方向キーを含み、前記方向キーを操作して前記カーソルを初期位置から前記表示手段により表示された一の外部入力端子の配置された位置に移動させ、当該一の外部入力端子を選択するための選択操作部と、前記選択操作部により選択された外部入力端子に画像データの入力を切換える切換手段と、前記切換手段により切換えられた外部入力端子に接続される外部出力機器より画像データが入力されると、前記画像データに基づく画像を表示画面上に表示する画像表示手段と、を備え、前記表示手段は、表示画面上の前記カーソルの初期位置を交点とする少なくとも二直線上に、外部入力端子を各々配置することを特徴とする。
【０００８】
請求項２に記載の発明は、請求項１に記載の表示装置において、前記表示手段は、各外部入力端子の名称を該当する外部入力端子と対応付けて表示し、前記表示手段により表示画面上に表示される外部入力端子の名称を変更する変更手段を備えることを特徴とする。
【０００９】
請求項３に記載の発明は、請求項１又は２に記載の表示装置において、各外部入力端子に外部出力機器が接続されたか否かを検知する検知手段を備え、前記表示手段は、前記検知手段により前記外部出力機器の接続が検知された外部入力端子に対応する表示画面上に表示される外部入力端子の表示態様と、前記検知手段により前記外部出力機器の接続が検知されなかった外部入力端子に対応する表示画面上に表示される外部入力端子の表示態様と、を異ならせることを特徴とする。
【００１０】
請求項４に記載の発明は、請求項１〜３の何れか一項に記載の表示装置において、前記切換手段により切換えられた回数を外部入力端子ごとに計数して記憶する計数記憶手段を備え、前記表示手段は、表示画面上に表示される外部入力端子を、前記計数手段により計数された回数が多い順に、前記カーソルの初期位置の近傍から遠方へと配置することを特徴とする。
【００１１】
請求項５に記載の発明は、画像データを出力する外部出力機器と接続可能な外部入力端子を複数備えた表示装置において、表示画面上にそれぞれの外部入力端子を表示する表示手段と、上下左右方向にカーソルを移動させる方向キーを含み、前記方向キーを操作して前記カーソルを初期位置から前記表示手段により表示された一の外部入力端子の配置された位置に移動させ、当該一の外部入力端子を選択するための選択操作部と、前記選択操作部により選択された外部入力端子に画像データの入力を切換える切換手段と、前記切換手段により切換えられた外部入力端子に接続される外部出力機器より画像データが入力されると、前記画像データに基づく画像を表示画面上に表示する画像表示手段と、各外部入力端子に外部出力機器が接続されたか否かを検知する検知手段と、前記切換手段により切換えられた回数を外部入力端子ごとに計数して記憶する計数記憶手段と、を備え、前記表示手段は、表示画面上の前記カーソルの初期位置を交点とする少なくとも二直線上に、外部入力端子を、前記計数手段により計数された回数が多い順に、前記カーソルの初期位置の近傍から遠方へと各々配置し、前記検知手段により前記外部出力機器の接続が検知された外部入力端子に対応する表示画面上に表示される外部入力端子の表示態様と、前記検知手段により前記外部出力機器の接続が検知されなかった外部入力端子に対応する表示画面上に表示される外部入力端子の表示態様と、を異ならせることを特徴とする。
【発明の効果】
【００１２】
本発明によれば、上下左右方向にカーソルを移動させる方向キーを含んだ選択操作部を備え、複数の外部入力端子は、表示画面上の上記カーソルの初期位置を交点とする少なくとも二直線上に表示されており、ユーザは、選択操作部により上下左右方向に方向キーを操作して、所望の外部入力端子を選択することができるように構成されている。
つまり、本発明によると、表示画面上に外部入力端子が一列（一直線上）に複数表示され、上下方向のカーソルボタンを複数回操作して所望の外部入力端子を選択するような場合に比べて、複数の外部入力端子が少なくとも二直線上に配置され、ユーザは、その中から所望の外部入力端子まで方向キーで平面的（上下左右方向）にカーソルを移動させて選択できるので、より少ないカーソルボタンの操作で外部入力端子を選択することができることとなって、操作の煩雑さが軽減される。
よって、本発明は、ユーザが所望する外部入力端子への切換操作を容易に実行できる表示装置であるといえる。
【図面の簡単な説明】
【００１３】
【図１】本発明に係る表示装置の要部構成を例示するブロック図である。
【図２】本発明に係るリモコンの概略構成を示す図である。
【図３】本発明に係る入力切換画面を例示する図である。
【図４】本発明に係る別の入力切換画面を例示する図である。
【図５】本発明に係る別の入力切換画面を例示する図である。
【図６】本発明に係る別の入力切換画面を例示する図である。
【図７】本発明に係る入力切換処理を説明するフローチャートである。
【発明を実施するための形態】
【００１４】
以下、本発明の実施の形態について図面を参照しながら説明する。なお、発明の範囲は図示例に限定されない。
図１は、本発明に係る表示装置の要部構成を示すブロック図であり、図２は本発明に係るリモコンの概略構成を示す図であり、図３〜図６は本発明に係る入力切換画面を例示する図である。
【００１５】
本発明に係る表示装置１は、例えば、図１に示すように、信号入力部１０、検知センサ１５、チューナ２０、復調部３０、分離部４０、デコーダ５０、ＯＳＤ（Ｏｎ−Ｓｃｒｅｅｎ  Ｄｉｓｐｌａｙ）処理部６０、表示部７０、操作部８０、リモコン信号受信部９０、リモコン１００（選択操作部）、ＣＰＵ（Ｃｅｎｔｒａｌ  Ｐｒｏｃｅｓｓｉｎｇ  Ｕｎｉｔ）１１０、ＲＡＭ（Ｒａｎｄｏｍ  Ａｃｃｅｓｓ  Ｍｅｍｏｒｙ）１２０、記憶部１３０、スピーカ（図示省略）等を備えて構成され、外部出力機器１０００から信号入力部１０へ入力される画像データ等を受信して、表示部７０やスピーカに当該画像データに基づく映像や音声を出力する液晶テレビジョンである。
なお、表示装置１は、液晶テレビジョンには限られず、プラズマディスプレイパネル（ＰＤＰ）から映像を出力するプラズマテレビジョン等であっても勿論よい。
【００１６】
信号入力部１０は、例えば、デジタルテレビジョン放送の画像データを受信するアンテナ（図示省略）や、外部出力機器１０００から出力される画像データを入力する外部入力端子部１０ａを備えて構成され、アンテナから受信した画像データをチューナ２０に出力し、外部入力装置１０００から入力した画像データを分離部４０に出力する。なお、上記画像データには、テレビジョン放送、コンポジット映像等の各種映像、静止画像、等のデータが含まれるものとする。また、アンテナにより受信されたデジタルテレビジョン放送の画像データはＲＦ（Ｒａｄｉｏ  Ｆｒｅｑｕｅｎｃｙ）信号としてチューナ２０に出力される。
【００１７】
外部入力端子部１０ａは、多彩なＡＶ機器に使用されるデジタル映像の画像データを入力するＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子や、アナログビデオデッキ等から出力されるコンポジット映像の画像データを入力するＲＣＡ端子等のコンポジット映像端子や、ＤＶＤ（Ｄｉｇｉｔａｌ  Ｖｅｒｓａｔｉｌｅ  Ｄｉｓｋ）プレイヤやＢＤ（Ｂｌｕｅ−ｒａｙ  Ｄｉｓｃ）プレイヤからのデジタル画像データを入力するＤ１端子／Ｄ２端子や、ＰＣ（Ｐｅｒｓｏｎａｌ  Ｃｏｍｐｕｔｅｒ）からの画像データを入力するＤＶＩ（Ｄｉｇｉｔａｌ  Ｖｉｓｕａｌ  Ｉｎｔｅｒｆａｃｅ）端子、等の複数の外部入力端子を含んで構成される。
【００１８】
検知センサ１５は、信号検出回路（図示省略）を備えて構成され、外部入力端子部１０ａに含まれる各外部入力端子に外部出力機器１０００が接続された場合に、信号検出回路から出力される信号を検知し、ＣＰＵ１１０に当該信号を出力するセンサである。そのため、ＣＰＵ１１０は、検知センサ１５からの信号の入力の有無により、各外部入力端子に外部出力機器１０００が接続されたか否かを判断することができる。
【００１９】
チューナ２０は、ミキサ（図示省略）や選局回路（図示省略）等を備えて構成され、信号入力部１０から入力されたＲＦ信号から、ユーザが所望する物理チャンネルのＩＦ（Ｉｎｔｅｒｍｅｄｉａｔｅ Ｆｒｅｑｕｅｎｃｙ）信号が生成される。チューナ２０により生成されたＩＦ信号は、復調部３０に出力される。
【００２０】
復調部３０は、例えば、逆インタリーブ回路（図示省略）、誤り訂正回路（図示省略）、復調回路（図示省略）等を備えて構成され、チューナ２０において生成されたＩＦ信号に誤り訂正処理や復調処理等を施し、ＴＳ（Ｔｒａｎｓｐｏｒｔ Ｓｔｒｅａｍ）信号に変換し、当該変換したＴＳ信号を分離部４０に出力する。
【００２１】
分離部４０は、例えば、復調部３０やデコーダ５０と接続されており、復調部３０から入力されるＴＳ信号や外部入力端子１０ａより入力された画像データを、映像データ、音声データ、ＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）等に分離して、デコーダ５０に出力する。
【００２２】
デコーダ５０は、例えば、分離部４０から入力される映像データや音声データに復号処理を行って、その映像データや音声データを、表示部７０に出力する。
【００２３】
ＯＳＤ処理部６０は、例えば、デコーダ５０から表示部７０へ出力される映像データに、オンスクリーンディスプレイ（ＯＳＤ）画像に基づくＯＳＤ信号を重畳することにより、映像データに所定の静止画像データを重ねて表示したり、所定の静止画像データを差し替えて表示する等、いわゆるＯＳＤ表示処理を実施する。そのため、例えば、後述の表示プログラム１３０ａの実行時に、ＯＳＤ処理部６０によるＯＳＤ表示処理がなされ、入力切換画面を表示画面７０ａ上に表示可能となる。
【００２４】
表示部７０は、例えば、液晶パネル（図示省略）等を含んで構成され、デコーダ５０やＯＳＤ処理部６０より出力される映像データを表示画面７０ａとして液晶パネル上に表示する。
【００２５】
操作部８０は、例えば、表示装置１の前面部に設けられており、表示装置１の有する各機能を実行／停止させたり、画質／音量等の調整を行うための各種ボタン，キー，スイッチ等を備えて構成される。
【００２６】
リモコン１００は、例えば、十字キー１００ａ（方向キー）や数字文字入力部１００ｂ（変更手段），後に詳述される図３に示されるような入力切換画面を表示するためのキー（図示省略）を含み、操作部８０と同様に、表示装置１の有する各機能を実行／停止させたり、画質／音量等を調整するための各種ボタン，キー，スイッチ等を備えて構成されるリモートコントローラであり、当該ボタンやスイッチの操作信号がリモコン受信部９０に送信されるように構成されている。
十字キー１００ａは、表示画面７０ａ上に表示されるカーソルを、初期位置から上下左右方向に移動させるキーであり、当該カーソルの移動操作により、後述の入力切換画面上に表示される複数の外部入力端子から一の外部入力端子を選択できるように構成されている。
数字文字入力部１００ｂは、マトリクス状に配置された複数のボタンで構成されており、各々のボタンは、表示画面７０ａ上にテレビジョン放送を表示する場合にチャンネル番号を指定するための数字や、後述の入力切換画面上に表示される外部入力端子の名称を変更するためのローマ字やカナ文字等が割り振られている。
【００２７】
リモコン受信部９０は、リモコン１００より送信される操作信号を受信し、当該受信した操作信号をＣＰＵ１１０に送信している。
【００２８】
ＣＰＵ１１０は、表示装置１００の各部から入力される入力信号に応じて、記憶部１３０に記憶された各種プログラムを実行するとともに、実行にかかるプログラムに基づいて各部に出力信号を出力することにより、表示装置１の動作全般を統括制御する。
【００２９】
ＲＡＭ１２０は、例えば、ＣＰＵ１１０によって実行される処理プログラムなどを展開するためのプログラム格納領域や、入力データや上記処理プログラムが実行される際に生じる処理結果などを格納するデータ格納領域などを備える。
【００３０】
記憶部１３０は、例えば、表示装置１で実行可能なシステムプログラムや、当該システムプログラムで実行可能な表示プログラム１３０ａ、切換プログラム１３０ｂ、画像表示プログラム１３０ｃ、計数記憶プログラム１３０ｄ、等の処理プログラム、上記処理プログラムを実行する際に使用されるデータ、ＣＰＵ１１０によって演算処理された処理結果のデータなどを記憶する。
また、記憶部１３０は、外部入力端子部１０ａに含まれる外部入力端子の名称と、後述の切換プログラム１３０ｂの実行により上記外部入力端子に切換えられた回数と、が外部入力端子ごとに対応付けて記憶された切換えデータ１３０ｇを記憶する。
【００３１】
表示プログラム１３０ａは、表示画面７０ａ上にそれぞれの外部入力端子を表示する機能をＣＰＵ１１０に実現させるプログラムであり、ＣＰＵ１１０は、かかる表示プログラム１３０ａを実行することにより、表示手段として機能する。
具体的には、ＣＰＵ１１０が表示プログラム１３０ａを実行することにより、表示画面７０ａ上の十字キー１００ａのカーソルの初期位置を交点とする二直線上に、外部入力端子部１０ａに含まれる外部入力端子が各々配置され、当該配置された外部入力端子の名称が入力切換画面として表示画面７０ａ上に表示される。ここで、ＣＰＵ１１０は、上記外部入力端子を配置するにあたって、切換えデータ１３０ｇを参照し、切換えられた回数の多い外部入力端子より順に、カーソルの初期位置の近傍から遠方へと配置する。
さらに、ＣＰＵ１１０が表示プログラム１３０ａを実行することにより、表示画面７０ａ上で、検知センサ１５により外部出力機器１０００の接続が検知された外部入力端子の表示態様と、上記接続が検知されなかった外部入力端子の表示態様と、を異なるものにすることができる。
また、ＣＰＵ１１０が表示プログラム１３０ａを実行することにより、数字文字入力部１００ｂの操作を介して、表示画面７０ａ上に表示される外部入力端子の名称の変更が可能となるので、ＣＰＵ１１０は、かかる表示プログラム１３０ａを実行することにより、変更手段としても機能する。
なお、上記入力切換画面は、ＯＳＤ処理部６０によるＯＳＤ表示処理により表示される。
【００３２】
より具体的には、例えば図３に示すように、十字キー１００ａのカーソルの初期位置を「テレビ」として、当該「テレビ」を交点とする上下方向の直線上に、ＤＶＩ端子（以下、名称を「ＤＶＩ」とする）、Ｄ１端子，Ｄ２端子（以下、名称を「Ｄ１」，「Ｄ２」とする）が配置され、左右方向の直線上に複数のＨＤＭＩ端子（以下、名称を「ＨＤＭＩ１」，「ＨＤＭＩ２」とする）、複数のコンポジット映像端子（以下、名称を「コンポジ１」，「コンポジ２」とする）が配置されて、表示画面７０ａ上に当該外部入力端子の名称が表示される。
ここで、図３において、十字キー１００ａのカーソルの初期位置に隣接して配置された「ＤＶＩ」，「ＨＤＭＩ１」，「Ｄ１」，「コンポジ１」は、「ＨＤＭＩ２」，「Ｄ２」，「コンポジ２」と比較して、切換えデータ１３０ｇに記載された切換えられた回数が多いものとする。
したがって、ユーザは、十字キー１００ａのカーソルを、初期位置から上下左右方向に移動させることにより、容易に所望する外部入力端子を選択することができる。さらに、ユーザの選択した回数（切換えられた回数）の多い外部入力端子がカーソルの初期位置の近傍に配置されているため、ユーザは使用頻度の高い外部入力端子を容易に発見し、十字キー１００ａを繰り返し操作することなく当該外部入力端子を選択することができる。
【００３３】
さらに、例えば図４に示すように、検知センサ１５により外部出力機器１０００の接続が検知されなかった「Ｄ２」及び「コンポジ２」の外部入力端子の表示態様を斜線で表示することにより、検知センサ１５により外部出力機器１０００の接続が検知された外部入力端子との識別が容易となって、ユーザによる不必要な外部入力端子の選択操作を軽減することができる。
なお、外部出力機器１０００の接続が検知された外部入力端子の表示態様と、上記接続が検知されなかった外部入力端子の表示態様と、を異なるものにした表示形式は、図４で示すものに限られない。例えば、検知センサ１５により外部出力機器１０００の接続が検知されなかった「Ｄ２」及び「コンポジ２」の外部入力端子を表示画面７０ａ上から消去したものであってもよい。
【００３４】
また、ユーザは数字文字入力部１００ｂを操作することにより、表示画面７０ａ上に表示される外部入力端子の名称を変更することができる。具体的には、例えば、図３に示される「ＨＤＭＩ１」，「コンポジ１」，「Ｄ１」，「Ｄ２」をそれぞれ、図５に示すように、「ゲーム」，「ビデオデッキ」，「ＤＶＤ」，「ＢＤ」等と変更することにより、当該外部入力端子に接続される外部出力機器１０００の種類等を、ユーザは直感的に把握することができる。
【００３５】
なお、表示画面７０ａ上の外部入力端子の配置形式は、図３〜図５に限定されるものではない。例えば、図６に示すように、十字キー１００ａのカーソルの初期位置「テレビ」を中心として、上下方向の直線上、左右方向の直線上、上下方向と左右方向の間の斜め方向の直線上に、それぞれの外部入力端子をマトリクス状に配置したようなものであってもよい。
【００３６】
切換プログラム１３０ｂは、選択操作部１００により選択された外部入力端子に画像データの入力を切換える機能をＣＰＵ１１０に実現させるプログラムであり、ＣＰＵ１１０は、かかる切換プログラム１３０ｂを実行することにより、切換手段として機能する。
具体的には、ＣＰＵ１１０が切換プログラム１３０ｂを実行することにより、十字キー１００ａにより選択された外部入力端子より画像データを入力し、当該画像データに基づく画像が表示画面７０ａ上に表示可能なように、外部入力端子部１０ａの入力経路を当該外部入力端子に切換える処理を行う。
【００３７】
画像表示プログラム１３０ｃは、ＣＰＵ１１０の切換プログラム１３０ｂの実行により、切換えられた外部入力端子に接続される外部出力機器１０００より画像データが入力されると、当該画像データに基づく画像を表示画面７０ａ上に表示する機能をＣＰＵ１１０に実現させるプログラムであり、ＣＰＵ１１０は、かかる画像表示プログラム１３０ｃを実行することにより、画像表示手段として機能する。
具体的には、上記切換えられた外部入力端子に接続される外部出力機器１０００より画像データが入力されると、ＣＰＵ１１０は画像表示プログラム１３０ｃを実行し、分離部４０、デコーダ５０を介して、当該画像データを表示部７０における表示形式に変換処理し、表示画面７０ａ上に表示する処理を行う。
【００３８】
計数記憶プログラム１３０ｄは、ＣＰＵ１１０の切換プログラム１３０ｂの実行により、選択操作部１００により選択された外部入力端子に画像データの入力が切換えられた回数を外部入力端子ごとに計数して記憶する機能をＣＰＵ１１０に実現させるプログラムであり、ＣＰＵ１１０は、かかる計数記憶プログラム１３０ｄを実行することにより、計数記憶手段として機能する。
具体的には、ＣＰＵ１１０が切換プログラム１３０ｂを実行し、選択操作部１００により選択された外部入力端子に画像データの入力が切換えられると、計数記憶プログラム１３０ｄを実行し、切換えデータ１３０ｇより当該外部入力端子を検索し、切換えデータ１３０ｇの当該検索された外部入力端子に切換えられた回数を一回分増やす処理を行う。
【００３９】
外部出力機器１０００は、例えば、ＤＶＤプレイヤやＢＤプレイヤ，ＰＣ，テレビゲーム機，アナログビデオデッキ，等であり、表示装置１と外部入力端子部１０ａの一の外部入力端子を介して接続され、表示装置１に画像データを入力可能なように構成されている。
【００４０】
「外部入力切換処理」
次に、図７のフローチャートを参照しながら、本実施形態の表示装置１において行われる外部入力切換処理の流れについて説明する。
図７は本発明に係る入力切換処理を説明するフローチャートである。
【００４１】
まず、ＣＰＵ１１０は、ユーザによってリモコン１００を操作して入力切換画面表示用のキーが押下されたか否かを判断する（ステップＳ１）。
そして、ＣＰＵ１１０は、入力切換画面表示用のキーが押下されていないと判断した場合（ステップＳ１；Ｎｏ）、押下されるまで待機する。
一方で、ＣＰＵ１１０は、入力切換画面表示用のキーが押下されたと判断した場合（ステップＳ１；Ｙｅｓ）、例えば図３〜図６に示されるような入力切換画面の表示形式からユーザが選択したものを確認し（ステップＳ２）、表示プログラム１３０ａを実行することにより当該表示形式による入力切換画面を表示する（ステップＳ３）。
【００４２】
次いで、ＣＰＵ１１０は、ユーザがリモコン１００の操作により入力切換画面上に表示される複数の外部入力端子から一の外部入力端子を選択したか否かを判断し（ステップＳ４）、一の外部入力端子を選択していないと判断した場合（ステップＳ４；Ｎｏ）、選択されるまで待機する。
一方で、ＣＰＵ１１０は、一の外部入力端子を選択したと判断した場合（ステップＳ４；Ｙｅｓ）、切換プログラム１３０ｂを実行し、当該選択された外部入力端子に画像データの入力を切換える（ステップＳ５）。
【００４３】
次いで、ＣＰＵ１１０は、ステップＳ５で切換えられた外部入力端子に接続される外部出力機器１０００より画像データが入力されたか否かを判断し（ステップＳ６）、入力されていないと判断した場合（ステップＳ６；Ｎｏ）、入力されるまで待機する。
一方で、ＣＰＵ１１０は、画像データが入力されたと判断した場合（ステップＳ６；Ｙｅｓ）、画像表示プログラム１３０ｃを実行し、当該画像データに基づく画像を表示画面７０ａ上に表示する（ステップＳ７）。
【００４４】
以上のように、本発明に係る表示装置１によれば、カーソルを初期位置から上下左右方向に移動させる十字キー１００ａを含んだリモコン１００を有し、表示プログラム１３０ａの実行により、表示画面７０ａ上の十字キー１００ａのカーソルの初期位置を交点とする少なくとも二直線上に、外部入力端子部１０ａに含まれる外部入力端子が各々配置され、切換プログラム１３０ｂの実行により、リモコン１００の操作で上記配置された外部入力端子から選択される一の外部入力端子に画像データの入力を切換え、画像表示プログラム１３０ｃの実行により、当該画像データに基づく画像を表示画面７０ａ上に表示することができる。
つまり、表示画面上に外部入力端子が一列（一直線上）に複数表示され、上下方向のカーソルボタンを複数回操作して所望の外部入力端子を選択するような場合に比べて、ユーザは、上記二直線上に配置された外部入力端子から、所望の外部入力端子まで十字キー１００ａで平面的（上下左右方向）にカーソルを移動させて選択できるので、より少ないカーソルボタンの操作で外部入力端子を選択することができることとなって、操作の煩雑さが軽減される。
よって、本発明は、ユーザが所望する外部入力端子への切換操作を容易に実行できる表示装置であるといえる。
【００４５】
また、表示プログラム１３０ａの実行により、表示画面７０ａ上には外部入力端子の名称が表示され、当該名称は数字文字入力部１００ｂを介して変更できるようになっている。
つまり、外部入力端子の名称をユーザ自身が把握しやすいものに変更しておくことにより、当該外部入力端子に接続される外部出力機器１０００の種類等を、ユーザは直感的に把握することができる。
【００４６】
また、表示装置１は、外部入力端子に外部出力機器１０００が接続されたか否かを検知する検知センサ１５を備えており、表示プログラム１３０ａの実行により、表示画面７０ａ上で、検知センサ１５により外部出力機器１０００の接続が検知された外部入力端子の表示態様と、上記接続が検知されなかった外部入力端子の表示態様と、を異なるものにすることができる。
つまり、ユーザは、外部出力機器１０００の接続されていない外部入力端子を容易に把握することができるので、不必要な外部入力端子の選択操作を軽減することが可能となる。
【００４７】
また、計数プログラム１３０ｄの実行により、リモコン１００により選択された外部入力端子に画像データの入力が切換えられた回数を外部入力端子ごとに計数して切換えデータ１３０ｇとして記憶しておき、表示プログラム１３０ａの実行時に、上記切換えデータ１３０ｇを参照し、当該データに記載された切換えられた回数の多い外部入力端子より順に、十字キー１００ａのカーソルの初期位置の近傍から遠方へと配置することができる。
つまり、ユーザが選択した回数（切換えられた回数）の多い外部入力端子がカーソルの初期位置の近傍に配置されているため、ユーザは使用頻度の高い外部入力端子を容易に発見し、十字キー１００ａを繰り返し操作することなく当該外部入力端子を選択することができる。
【００４８】
なお、本発明の範囲は上記実施形態に限られることなく、本発明の趣旨を逸脱しない範囲において種々の改良並びに設計の変更を行っても良い。
例えば、上記実施形態において、リモコン１００を選択操作部としているが、操作部８０に十字キー１００ａを設けて選択操作部としたものや、操作部８０及びリモコン１００の両方に十字キー１００ａを設けて選択操作部としたものであっても当然よい。
【符号の説明】
【００４９】
１        表示装置
１０      信号入力部
１０ａ    外部入力端子部
１５      検知センサ（検知手段）
７０ａ    表示画面
１００    リモコン（選択操作部）
１００ａ  十字キー（方向キー）
１００ｂ  数字文字入力部（変更手段）
１１０    ＣＰＵ（表示手段、変更手段、切換手段、画像表示手段、計数記憶手段）
１３０    記憶部
１３０ａ  表示プログラム（表示手段、変更手段）
１３０ｂ  切換プログラム（切換手段）
１３０ｃ  画像表示プログラム（画像表示手段）
１３０ｄ  計数記憶プログラム（計数記憶手段）
１０００  外部出力機器
【図１】
2010176349.tif 000003
【図２】
2010176349.tif 000004
【図３】
2010176349.tif 000005
【図４】
2010176349.tif 000006
【図５】
2010176349.tif 000007
【図６】
2010176349.tif 000008
【図７】
2010176349.tif 000009